(57)【要約】【課題】複数のカードによる購買記録及び個人情報をＷｅｂページ形式で提供すると共に商品関連情報を提供するカード情報連携システムを提供する。【解決手段】管理サーバ１は、顧客の個人Ｗｅｂページを作成してインターネット上に提供する機能を備え、個人Ｗｅｂページ記載の各顧客の個人情報データベースを有する。カードサーバ（Ｘ）２及びカードサーバ（Ｙ）４は、その顧客の購買・決済情報及び顧客情報のデータベースを有し、店舗端末（Ｗ）３及び店舗端末（Ｙ）５は、それぞれカードＸ、カードＹにより商品購入をするための端末である。各カードによる購買情報は、各店舗端末から各カードサーバに送信される。各カードサーバから、各カードによる顧客の購買履歴情報が送信され、管理サーバ１は、受信した購買履歴情報を、その顧客の個人Ｗｅｂページに記載する。顧客端末（Ａ）６からその顧客の個人Ｗｅｂページを閲覧する。【選択図】　　　図１
2004062762.tif 000002
【特許請求の範囲】
【請求項１】
カードによる商品の購買情報を入力する店舗端末と、カードによる商品の購買履歴情報を蓄積するカードサーバと、顧客の個人Ｗｅｂページを作成してネットワーク上に提供する管理サーバとを備え、
前記店舗端末は、顧客がカードにて購入した商品の購買情報を前記カードサーバに送信する手段を有し、
前記カードサーバは、前記商品の購買情報をデータベースに蓄積すると共に、前記管理サーバに商品の購買履歴情報を送信する手段を有し、
前記管理サーバは、前記商品の購買履歴情報を受けて、前記顧客の個人Ｗｅｂページに前記商品の購買履歴情報を記載する手段を有することを特徴とするカード情報連携システム。
【請求項２】
前記ネットワークを介してＷｅｂページ閲覧機能を有する顧客端末をさらに備え、
前記顧客端末は、前記管理サーバにアクセスして、前記顧客の個人Ｗｅｂページを表示すると共に、その顧客の個人情報又は前記カード以外の手段で購入した商品情報とその関連情報を送信する手段を有し、
前記管理サーバは、受信した前記顧客の個人情報又は購入した商品情報とその関連情報を前記顧客の個人Ｗｅｂページに追記・変更する手段を有することを特徴とする請求項１記載のカード情報連携システム。
【請求項３】
前記カードサーバは、顧客の購入した商品の広告又は商品関連情報を生成し、前記管理サーバにその配信依頼と共に送信する手段を有し、
前記管理サーバは、受信した商品の広告又は商品関連情報を、前記顧客の個人Ｗｅｂページに記載し、あるいはその顧客のメールアドレス又は前記顧客端末のファックス番号に配信する手段を有することを特徴とする請求項１又は２記載のカード情報連携システム。
【請求項４】
複数のカードによる購買記録を連携してＷｅｂページ形式で提供するカード情報連携方法であって、
カードによる商品の購買情報を入力する店舗端末から、顧客がカードにて購入した商品の購買情報をカードサーバに送信し、
カードによる商品の購買履歴情報を蓄積するカードサーバは、前記商品の購買情報をデータベースに蓄積すると共に、管理サーバに商品の購買履歴情報を送信し、
顧客の個人Ｗｅｂページを作成してネットワーク上に提供する管理サーバは、前記商品の購買履歴情報を受けて、前記顧客の個人Ｗｅｂページに前記商品の購買履歴情報を記載することを特徴とするカード情報連携方法。
【請求項５】
前記ネットワークを介してＷｅｂページ閲覧機能を有する顧客端末から、前記管理サーバにアクセスして、前記顧客の個人Ｗｅｂページを表示すると共に、その顧客の個人情報又は前記カード以外の手段で購入した商品情報とその関連情報を送信し、
前記管理サーバは、受信した前記顧客の個人情報又は購入した商品情報とその関連情報を前記顧客の個人Ｗｅｂページに追記・変更することを特徴とする請求項４記載のカード情報連携方法。
【請求項６】
前記カードサーバは、顧客の購入した商品の広告又は商品関連情報を生成し、前記管理サーバにその配信依頼と共に送信し、
前記管理サーバは、受信した商品の広告又は商品関連情報を、前記顧客の個人Ｗｅｂページに記載し、あるいはその顧客のメールアドレス又は前記顧客端末のファックス番号に配信することを特徴とする請求項４又は５記載のカード情報連携方法。
【発明の詳細な説明】
【０００１】
【発明の属する技術分野】
本発明は、各種カード（クレジットカード、ポイントカード）の購買記録と商品情報を連携してＷｅｂ上で提供するカード情報連携システムに関する。
【０００２】
【従来の技術】
従来、各種のクレジットカードやポイントカードを利用して、商品を購入した場合、各クレジットカードやポイントカード毎に購入記録が送付され、利用者は各カード毎に購入記録を管理していた。
【０００３】
これに対し、特開２００２−４１７７６では、ユーザが自分の家計簿情報をサーバ側に預けることで、ユーザによる家計簿情報の管理の手間を省く家計簿情報のホスティングサービスシステムが開示されている。
【０００４】
また、特開平９−２９３０９６号公報では、カード以外の支払方法による出金データ、その他の入出金データ等を家計簿に反映させる家庭用出納データ自動管理システムが開示されている。
【０００５】
【発明が解決しようとする課題】
しかしながら、各カード毎に購入記録が送付されるので、複数のカードのポイントや購入記録を全体として把握できなかった。また１社のカードによる購入記録はあっても、自分ではそのデータを加工できず、現金での購入記録と共に、別途転記する、あるいはコンピュータに入力する等しなければならなかった。
【０００６】
また店舗にいるときは、家庭の在庫状況や消耗品の規格が参照できないため、買い忘れ・買いすぎ・買い間違え・買い控えがあった。
【０００７】
そこで本発明は、複数のカードによる購買記録と現金等による購入記録の組み合わせによる購買記録管理及び個人情報をＷｅｂページ形式で提供すると共に商品関連情報を提供するカード情報連携システム及び方法を提供することを目的とする。
【０００８】
【課題を解決するための手段】
上述の課題を解決するため、本発明は、カードによる商品の購買情報を入力する店舗端末と、カードによる商品の購買履歴情報を蓄積するカードサーバと、顧客の個人Ｗｅｂページを作成してネットワーク上に提供する管理サーバとを備え、前記店舗端末は、顧客がカードにて購入した商品の購買情報を前記カードサーバに送信する手段を有し、前記カードサーバは、前記商品の購買情報をデータベースに蓄積すると共に、前記管理サーバに商品の購買履歴情報を送信する手段を有し、前記管理サーバは、前記商品の購買履歴情報を受けて、前記顧客の個人Ｗｅｂページに前記商品の購買履歴情報を記載する手段を有することを特徴とする。
【０００９】
以上の構成によって、複数のカードによる購買記録を連携してＷｅｂページ形式で提供することができる。
【００１０】
【発明の実施の形態】
次に、本発明の実施の形態について図面を参照して説明する。
【００１１】
図１は、本発明のシステム構成を示す図である。なお、以下の説明で管理サーバは、Ｗｅｂサーバ、メールサーバ等から構成されるサーバシステムを意味するものとする。また、ネットワークはインターネットとする。
【００１２】
管理サーバ１は、管理センターに設置され、顧客の個人Ｗｅｂページを作成してインターネット上に提供する機能を備える。また、個人Ｗｅｂページ記載の各顧客の個人情報データベースを有する。ここで個人情報とは、各顧客の各カードによる購買記録（購入日、品名、価格、支払い日）、その他手動またはバーコード入力した購買記録、カード情報（ポイントや手数料）、該当顧客の家庭の在庫情報（購入日、消費期限、個数、品名）、該当顧客の嗜好や規格記録（電球何ワット何形、テーブルのサイズなど）等である。さらに顧客端末から、各顧客の個人情報の追加・変更通知を受けて、個人Ｗｅｂページの記載を追記・変更する機能を有する。
【００１３】
カードサーバ（Ｘ）２は、クレジットカードＸを発行するカード会社Ｘのカード情報管理サーバであり、その顧客の購買・決済情報（購入日、購入品目（品名、規格）、購入者、金額、小売業者、支払い口座、支払い方法、支払い日）及び顧客情報（カード所有者名・住所等の属性、銀行口座、支払い履歴）のデータベースとその管理機能を備え、専用回線等で管理サーバ１に接続されている。店舗端末（Ｗ）３は、クレジットカードＸにより商品購入をするために各店舗に設置された端末であり、カードサーバ（Ｘ）２に専用回線等で接続されている。また、クレジットカードＸによってその顧客を認証して、管理サーバ１にアクセスし、その顧客の個人Ｗｅｂページを表示する機能を有する。
【００１４】
カードサーバ（Ｙ）４は、ポイントカードＹを発行する小売業者Ｙのカード情報管理サーバであり、その顧客の購買・決済情報及び顧客情報のデータベースとその管理機能を備え、専用回線等で管理サーバ１に接続されている。店舗端末（Ｙ）５は、ポイントカードＹにより商品購入をするために小売業者Ｙの各店舗に設置された端末であり、カードサーバ（Ｙ）４に専用回線等で接続されている。また、ポイントカードＹによってその顧客を認証して、管理サーバ１にアクセスし、その顧客の個人Ｗｅｂページを表示する機能を有する。
【００１５】
顧客端末（Ａ）６は、ブラウザを搭載したパーソナルコンピュータ等であり、インターネットに接続してＷｅｂページ閲覧機能を有する。また、顧客端末としてファックスを用いた場合は、所定の番号を入力することによって、管理サーバ１の提供する個人Ｗｅｂページに相当する画像を出力することができる。顧客端末（Ｂ）７は、顧客の有する携帯電話あるいは通信機能を有するＰＤＡ等であり、インターネットに接続してＷｅｂページ閲覧機能を有する。
【００１６】
次に図２を参照して、上記システムによる本発明の動作を説明する。
【００１７】
まず、顧客は、店舗Ｗにて、クレジットカードＸを用いて商品を購入する。このクレジットカードＸによる購買情報は、店舗端末（Ｗ）３からカード会社Ｘのカードサーバ（Ｘ）２に送信される（Ｓ１）。あるいは、店舗Ｙにて、ポイントカードＹを用いて商品を購入する。このポイントカードＹによる購買情報は、店舗端末（Ｙ）５から小売業者Ｙのカードサーバ（Ｙ）４に送信される（Ｓ１）。
【００１８】
カードサーバ（Ｘ）２あるいはカードサーバ（Ｙ）４は、購買情報を受信して、購買履歴情報として蓄積する。さらに、これまでにその顧客がカードで購入した商品の購買履歴情報を、管理サーバ１に送信する（Ｓ２）。管理サーバ１は、受信した購買履歴情報を、その顧客の個人Ｗｅｂページに記載する（Ｓ３）。２回目以降の購買履歴情報の送信に際し、前回との差分、すなわち新たに購入した商品の購買情報のみを送信しても良い。
【００１９】
顧客は、顧客端末（Ａ）６からインターネットを介して管理サーバ１にアクセスして、自分の個人Ｗｅｂページを閲覧することができる（Ｓ４）。さらに、個人の登録番号及びパスワードを入力してＷｅｂページ追記・変更モードにログインし、カード以外に現金等で購入した商品情報をキーボードあるいはバーコードリーダ等により入力する（Ｓ５）。さらに、季節ごとにカバーを購入するためにクッションのサイズを入力し、商品関連情報配信希望のボタンをチェックして、送信する。また、住所等の個人情報の変更を入力することもできる。管理サーバ１は、これらの情報を受信して、その顧客の個人Ｗｅｂページの追記・変更を行う（Ｓ６）。
【００２０】
顧客は、買い物をする際に、顧客端末（Ｂ）７から携帯電話交換網及びインターネットを介して管理サーバ１にアクセスして、自分の個人Ｗｅｂページを閲覧する。あるいは、店舗端末（Ｗ）３にクレジットカードＸを用いて、又は店舗端末（Ｙ）５にポイントカードＹを用いて自己認証し、各端末からインターネットを介して管理サーバ１にアクセスして、自分の個人Ｗｅｂページを閲覧する（Ｓ７）。そして、自分の購買履歴や必要な商品関連情報を参照して、必要な商品を購入する。例えば、思わぬところで気に入った商品（カーテン用布地）を発見した場合、自分の個人Ｗｅｂページを閲覧して、そこに記載された自宅の出窓のサイズを調べてから購入する。
【００２１】
次に、カードサーバ（Ｘ）２あるいはカードサーバ（Ｙ）４は、その顧客の購買情報又は個人情報から、適切な商品広告又は商品関連情報を生成し、管理サーバ１へ配信依頼を送信する（Ｓ８）。ここで、商品関連情報とは、顧客に提供される商品の属性情報（生産者、販売業者、原料、製造日、消費期限、価格、規格（サイズ、色など）、メンテナンス方法、廃棄方法等）である。
【００２２】
配信依頼を受け、管理サーバ１は、その顧客のメールアドレス又は顧客端末（Ａ）６のファックス番号に「在庫切れ」表示・支払い通知や各顧客の嗜好にあった「新商品入荷」等の広告・通知を送る（Ｓ９）。顧客は、顧客端末（Ａ）６にて、送られた広告・通知を見る。あるいは、管理サーバ１は、依頼を受けた広告・通知をその顧客の個人Ｗｅｂページに記載して、顧客が閲覧する際に一緒に見られるようにすることもできる。
【００２３】
顧客は、（予約の上）店舗で確認し、購入する。予約を受けた管理サーバ１は、カードサーバ（Ｘ）２あるいはカードサーバ（Ｙ）４へ情報を転送し、各カードサーバが予約管理をする。
【００２４】
【発明の効果】
以上説明したように、本発明により、消費者は、各カードでの購買情報の一括管理（支払い）、複数の端末による情報へのアクセス、在庫情報の把握により買い忘れや買いすぎを防止、価格変動・底値の把握、生産者や原料・廃棄方法など詳細な商品情報の入手による品質・安全・環境に対する意識の向上、サイズや在庫情報の参照機能により買うチャンスを逃さない等のメリットを享受できる。
【００２５】
また小売業者は、嗜好に合わせた情報の提供によるリピーターの確保等のメリットを享受できる。
【００２６】
さらにカード会社は、カードによる購買行動の促進等のメリットを享受できる。
【図面の簡単な説明】
【図１】本発明のシステム構成図である。
【図２】本発明の動作説明フローチャートである。
【符号の説明】
１　管理サーバ
２　カードサーバ（Ｘ）
３　店舗端末（Ｗ）
４　カードサーバ（Ｙ）
５　店舗端末（Ｙ）
６　顧客端末（Ａ）
７　顧客端末（Ｂ）
【図１】
2004062762.tif 000003
【図２】
2004062762.tif 000004